(57)【要約】  ＤＬの制御チャネルがマッピングされるＯＦＤＭシンボルの数に基づいて、下りリファレンス信号がマッピングされるＯＦＤＭシンボルにおけるＤＬのチャネルのサブキャリア数が、サブキャリア決定手段により決定される。
2008084624.tif 000002
【特許請求の範囲】
【請求項１】
移動局と、前記移動局と下りリンクにおいてＯＦＤＭ方式を用いて通信を行う基地局装置とを具備する無線通信システムであって：
第１の信号及び前記第１の信号を用いて復元される第２の信号を送信する手段と、
前記第２の信号がマッピングされるＯＦＤＭシンボルの数に基づいて、前記第２の信号のサブキャリアを決定するサブキャリア決定手段と
を備えることを特徴とする無線通信システム。
【請求項２】
移動局と、前記移動局と下りリンクにおいてＯＦＤＭ方式を用いて通信を行う基地局装置とを具備する無線通信システムであって：
前記基地局装置は、第１の信号と第２の信号を送信する手段と、
前記第２の信号がマッピングされるＯＦＤＭシンボルの数と、前記第１の信号の送信電力とに基づいて、前記第２の信号のサブキャリアを決定するサブキャリア決定手段と、
を備えることを特徴とする無線通信システム。
【請求項３】
請求項１又は２に記載の無線通信システムであって、
前記サブキャリア決定手段は、前記第１の信号と同一のＯＦＤＭシンボルで送信される前記第２の信号のサブキャリアの数を、前記第２の信号がマッピングされるＯＦＤＭシンボルの数が少ない場合に増やし、前記第２の信号がマッピングされるＯＦＤＭシンボルの数が多い場合に減らすことを特徴とする無線通信システム。
【請求項４】
請求項１ないし３の何れか１項に記載の無線通信システムであって、
前記第２の信号は、上りリンクのデータチャネルの送信のための制御信号、下りリンクのデータチャネルの送信のための制御信号、上りリンクのデータチャネルの送達確認情報、オーバーロードインジケータ、送信電力制御のためのコマンドの少なくとも１つであることを特徴とする無線通信システム。
【請求項５】
請求項１ないし３の何れか１項に記載の無線通信システムであって、
前記第１の信号は、下りリンクのリファレンス信号であることを特徴とする無線通信システム。
【請求項６】
請求項１ないし３の何れか１項に記載の無線通信システムであって、
前記第２の信号は、下りリンクの制御チャネルであることを特徴とする無線通信システム。
【請求項７】
移動局と、前記移動局と下りリンクにおいてＯＦＤＭ方式を用いて通信を行う基地局装置とを具備する無線通信システムにおける基地局装置であって、：
第１の信号と前記第１の信号を用いて復元される第２の信号を送信する送信手段
を有し、前記第２の信号がマッピングされるＯＦＤＭシンボルの数に基づいて、前記第２の信号のサブキャリアが決定される
ことを特徴とする基地局装置。
【請求項８】
下りリンクにおいてＯＦＤＭ方式を用いて通信を行う基地局装置を具備する無線通信システムで使用される移動局であって：
第１の信号と第２の信号を受信する受信手段と、
前記第１の信号を用いて前記第２の信号を復元する手段と、
を有し、前記第２の信号がマッピングされるＯＦＤＭシンボルの数に基づいて、前記第２の信号のサブキャリアが決定される
ことを特徴とする移動局。
【請求項９】
移動局と、前記移動局と下りリンクにおいてＯＦＤＭ方式を用いて通信を行う基地局装置とを具備する無線通信システムにおける通信制御方法であって：
第１の信号を用いて復元される第２の信号がマッピングされるＯＦＤＭシンボルの数に基づいて、前記第２の信号のサブキャリアを決定するサブキャリア決定ステップと、
前記第１の信号及び前記第２の信号を送信するステップと
を有することを特徴とする通信制御方法。
【発明の詳細な説明】
【技術分野】
【０００１】
本発明は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を適用する無線通信システムに関し、特に基地局装置及び通信制御方法に関する。
【背景技術】
【０００２】
Ｗ−ＣＤＭＡやＨＳＤＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＬＴＥでは、上りリンク、下りリンクともに１つないし２つ以上の物理チャネルを複数の移動局で共有して通信を行うシステムである。上記複数の移動局で共有されるチャネルは、一般に共有チャネルと呼ばれ、ＬＴＥにおいては、上りリンクにおいてはＰｈｙｓｉｃａｌ  Ｕｐｌｉｎｋ  Ｓｈａｒｅｄ  Ｃｈａｎｎｅｌ  （ＰＵＳＣＨ）であり、下りリンクにおいてはＰｈｙｓｉｃａｌ  Ｄｏｗｎｌｉｎｋ  Ｓｈａｒｅｄ  Ｃｈａｎｎｅｌ（ＰＤＳＣＨ）である。【０００６】
そして、上述したような共有チャネルを用いた通信システムにおいては、サブフレーム（Ｓｕｂ−ｆｒａｍｅ）毎に、どの移動局に対して上記共有チャネルを割り当てるかをシグナリングする必要があり、上記シグナリングのために用いられる制御チャネルは、ＬＴＥでは、ＰＤＣＣＨ（Ｐｈｙｓｉｃａｌ  Ｄｏｗｎｌｉｎｋ  Ｃｏｎｔｒｏｌ  Ｃｈａｎｎｅｌ）と呼ばれる。サブフレームは、送信時間間隔（TTI）と呼ばれてもよい。上記ＰＤＣＣＨの情報には、例えば、Ｐｈｙｓｉｃａｌ
Ｃｏｎｔｒｏｌ Ｆｏｒｍａｔ
Ｉｎｄｉｃａｔｏｒ Ｃｈａｎｎｅｌ (ＰＣＦＩＣＨ))、Ｄｏｗｎｌｉｎｋ  Ｓｃｈｅｄｕｌｉｎｇ  Ｉｎｆｏｒｍａｔｉｏｎ、ＡＣＫ／ＮＡＣＫ、ＵＬ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔが含まれる（非特許文献２）。また、上記Ｄｏｗｎｌｉｎｋ  Ｓｃｈｅｄｕｌｉｎｇ  Ｉｎｆｏｒｍａｔｉｏｎには、例えば、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱに関する情報が含まれる。また、上記Ｕｐｌｉｎｋ  Ｓｃｈｅｄｕｌｉｎｇ  Ｇｒａｎｔには、例えば、上りリンクのＲｅｓｏｕｒｃｅ  Ｂｌｏｃｋの割り当て情報、ＵＥのＩＤ、データサイズ、変調方式、上りリンクの送信電力情報、Ｄｅｍｏｄｕｌａｔｉｏｎ  Ｒｅｆｅｒｅｎｃｅ  Ｓｉｇｎａｌの情報が含まれる。【０００７】
ここで、上記ＰＣＦＩＣＨは、ＰＤＣＣＨのフォーマットを通知する情報であり、具体的には、このＰＣＦＩＣＨにより、ＰＤＣＣＨがマッピングされるＯＦＤＭシンボルの数が通知される。ＬＴＥにおいては、ＰＤＣＣＨがマッピングされるＯＦＤＭシンボルの数は１、２、３のいずれかであり、また、ＰＤＣＣＨは、１Ｓｕｂ−ｆｒａｍｅにおいて、先頭のＯＦＤＭシンボルからマッピングされる（非特許文献３）
一方、一般に、移動体通信では、チャネル推定や無線品質の測定に用いるためのパイロット信号が存在し、ＬＴＥでは、下りリファレンス信号（ＤＬ  ＲＳ：Ｄｏｗｎｌｉｎｋ  Ｒｅｆｅｒｅｎｃｅ  Ｓｉｇｎａｌ）と呼ばれる。上記ＤＬ  ＲＳは、ＰＤＣＣＨがマッピングされる可能性のある、Ｓｕｂ−ｆｒａｍｅの先頭から３つ目までのＯＦＤＭシンボルの中では、Ｓｕｂ−ｆｒａｍｅの先頭のＯＦＤＭシンボルにマッピングされる。（非特許文献３）
ところで、上記チャネル推定や無線品質の測定の精度を向上させるため、上記ＤＬ  ＲＳの送信電力を、他の信号の送信電力よりも大きくすることが検討されている（非特許文献４）。また、ＰＤＣＣＨにより伝送される各情報には、送信電力制御が適用されることが検討されている。この場合、１ＯＦＤＭシンボル内において、上記ＤＬ  ＲＳの送信電力の和と上記ＰＤＣＣＨにより伝送される各情報の送信電力の和は、基地局の最大電力（定格電力）以下でなければならない。
【非特許文献１】3GPP TR 25.814 (V7.0.0), “Physical Layer Aspects for Evolved UTRA,”June 2006
【非特許文献２】R1-070103, Downlink L1/L2 Control Signaling Channel Structure:Coding
【非特許文献３】3GPP TR 36.211 (V0.2.1), “Physical Channels and Modulation,”November 2006
【非特許文献４】R1-070088, Power Boosting of Reference Signal in E-UTRA Downlink
【発明の開示】
【発明が解決しようとする課題】
【０００８】
しかしながら、上述した背景技術には以下の問題がある。【０００９】
ＰＤＣＣＨがマッピングされるＯＦＤＭシンボルが１の場合は、基地局の送信電力を、単純に、ＤＬ  ＲＳとＰＤＣＣＨにより伝送される各情報とで分け合うため、問題は生じない。【００１０】
一方、ＰＤＣＣＨがマッピングされるＯＦＤＭシンボルが２あるいは３の場合は、ＤＬ  ＲＳはＳｕｂ−ｆｒａｍｅの１つ目のＯＦＤＭシンボルにのみマッピングされ、ＰＤＣＣＨにより伝送される各情報のほとんどが、Ｓｕｂ−ｆｒａｍｅの１つ目のＯＦＤＭシンボルと2つ目のシンボルまたは3つ目のシンボルにマッピングされるため、基地局の送信電力を、適切にＤＬ  ＲＳとＰＤＣＣＨにより伝送される各情報とで分け合うことが困難になる。すなわち、ＤＬ  ＲＳの送信電力が大きい場合には、Ｓｕｂ−ｆｒａｍｅの１つ目のＯＦＤＭシンボルにマッピングされるＰＤＣＣＨにより伝送される各情報の送信電力は、Ｓｕｂ−ｆｒａｍｅの２つ目または３つ目のＯＦＤＭシンボルにマッピングされるＰＤＣＣＨにより伝送される各情報の送信電力よりも小さくなる場合がある。伝送特性上は、全てのＯＦＤＭシンボルにマッピングされているビットの電力が等しい方が良いため、上述した送信電力の分け合い方は問題となる。制御チャネルが複数のサブフレームにわたって伝送される場合に、制御チャネルの単位帯域当たりの送信電力がその複数のサブフレームで全て同じでないことは好ましくない。【００１１】
そこで、本発明は、上述した課題に鑑み、その目的は、ＰＤＣＣＨがマッピングされるＯＦＤＭシンボルの数に関係なく、適切なＰＤＣＣＨの情報の送信電力を設定することのできる基地局装置、移動局、無線通信システム及び通信制御方法を提供することにある。
【課題を解決するための手段】
【００１２】
上記課題を解決するため、本発明の無線通信システムは、
移動局と、前記移動局と下りリンクにおいてＯＦＤＭ方式を用いて通信を行う基地局装置とを具備する無線通信システムであって：
前記基地局装置は、第１の信号と第２の信号を送信し、
前記第２の信号がマッピングされるＯＦＤＭシンボルの数に基づいて、前記第２の信号のサブキャリアを決定するサブキャリア決定部、
を備えることを特徴の１つとする。【００１３】
このように構成することにより、第２の信号がマッピングされるＯＦＤＭシンボルの数に関係なく、第２の信号に適切な送信電力制御を適用することができる。【００１４】
本発明の他の無線通信システムは、
移動局と、前記移動局と下りリンクにおいてＯＦＤＭ方式を用いて通信を行う基地局装置とを具備する無線通信システムであって：
前記基地局装置は、第１の信号と第２の信号を送信し、
前記第２の信号がマッピングされるＯＦＤＭシンボルの数と、前記第１の信号の送信電力とに基づいて、前記第２の信号のサブキャリアを決定するサブキャリア決定部
を備えることを特徴の１つとする。【００１５】
このように構成することにより、第２の信号がマッピングされるＯＦＤＭシンボルの数に関係なく、第２の信号に適切な送信電力制御を適用することができる。【００１６】
本発明の基地局装置は、
移動局と、前記移動局と下りリンクにおいてＯＦＤＭ方式を用いて通信を行う基地局装置とを具備する無線通信システムにおける基地局装置であって、：
第１の信号と第２の信号を送信する送信手段と、
を有し、前記第２の信号がマッピングされるＯＦＤＭシンボルの数に基づいて、前記第２の信号のサブキャリアが決定される
ことを特徴の１つとする。【００１７】
本発明の移動局は、
下りリンクにおいてＯＦＤＭ方式を用いて通信を行う基地局装置を具備する無線通信システムにおける移動局であって、：
第１の信号と第２の信号を受信する受信手段と、
を有し、前記第２の信号がマッピングされるＯＦＤＭシンボルの数に基づいて、前記第２の信号のサブキャリアが決定される
ことを特徴の１つとする。【００１８】
本発明の通信制御方法は、
移動局と、前記移動局と下りリンクにおいてＯＦＤＭ方式を用いて通信を行う基地局装置とを具備する無線通信システムにおける通信制御方法であって：
前記基地局装置は、第１の信号と第２の信号を送信し、
前記第２の信号がマッピングされるＯＦＤＭシンボルの数に基づいて、前記第２の信号のサブキャリアを決定するサブキャリア決定ステップ、
を有することを特徴の１つとする。
【発明の効果】
【００１９】
本発明の実施例によれば、第２の信号がマッピングされるＯＦＤＭシンボルの数に関係なく、第２の信号に適切な送信電力制御を適用することのできる基地局装置、移動局、無線通信システム及び通信制御方法を実現できる。
【図面の簡単な説明】
【００２０】
【図１】本発明の実施例にかかる無線通信システムの構成を示すブロック図である。
【図２】Sub-frameの構成を示す説明図である。
【図３】図２に示すSub-frameの構成を持つ場合の、ＯＦＤＭシンボル＃１及び＃２におけるサブキャリアマッピングを示す説明図である。
【図４】本発明の一実施例に係る基地局装置を示す部分ブロック図である。
【図５】本発明の一実施例に係る基地局装置のベースバンド部を示すブロック図である。
【図６】物理下りリンク制御チャネルがマッピングされるＯＦＤＭシンボルの数が１の場合のサブキャリアマッピングを示す説明図
【図７】物理下りリンク制御チャネルがマッピングされるＯＦＤＭシンボルの数が２の場合のサブキャリアマッピングを示す説明図である。
【図８】マッピングされるサブキャリア番号の例を示す説明図である。
【図９】ダウンリンクスケジューリングインフォメーションとアップリンクスケジューリンググラントがマッピングされるサブキャリアの数を示す説明図である。
【図１０】ダウンリンクスケジューリングインフォメーションとアップリンクスケジューリンググラントがマッピングされるサブキャリアの数を示す説明図である。
【図１１】本発明の一実施例に係る移動局を示す部分ブロック図である。
【図１２】本発明の一実施例に係る通信制御方法を示すフロー図である。
【図１３】本発明の一実施例に係る通信制御方法を示すフロー図である。
【符号の説明】
【００２１】
５０  セル
１００１，１００２，１００３，１００ｎ  移動局
１０２  送受信アンテナ
１０４  アンプ部
１０６  送受信部
１０８  ベースバンド処理部
１１０  呼処理部
１１２  アプリケーション部
２００  基地局装置
２０２  送受信アンテナ
２０４  アンプ部
２０６  送受信部
２０８  ベースバンド処理部
２１０  呼処理部
２１２  伝送路インターフェース
２０８１  レイヤー１処理部
２０８２  ＭＡＣ処理部
２０８３  ＲＬＣ処理部
２０８４  サブキャリアマッピング決定部
２０８５  ＰＤＣＣＨ送信電力制御部
３００  アクセスゲートウェイ装置
４００  コアネットワーク
【発明を実施するための最良の形態】
【００２２】
次に、本発明を実施するための最良の形態を、以下の実施例に基づき図面を参照しつつ説明する。なお、実施例を説明するための全図において、同一機能を有するものは同一符号を用い、繰り返しの説明は省略する。【００２３】
本発明の実施例に係る基地局装置が適用される無線通信システムについて、図１を参照して説明する。【００２４】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、基地局装置（ｅＮＢ：  ｅＮｏｄｅ  Ｂ）２００と複数の移動局（ＵＥ：  Ｕｓｅｒ  Ｅｑｕｉｐｍｅｎｔ）１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。ここで、移動局１００ｎはセル５０において基地局装置２００とＥｖｏｌｖｅｄ  ＵＴＲＡ  ａｎｄ  ＵＴＲＡＮにより通信を行う。【００２５】
以下、移動局１００ｎ（１００１、１００２、１００３、・・・１００ｎ）については、同一の構成、機能、状態を有するので、以下では特段の断りがない限り移動局１００ｎとして説明を進める。【００２６】
無線通信システム１０００は、無線アクセス方式として、下りリンクについてはＯＦＤＭ（直交周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。【００２７】
ここで、Ｅｖｏｌｖｅｄ  ＵＴＲＡ  ａｎｄ  ＵＴＲＡＮにおける通信チャネルについて説明する。【００２８】
下りリンクについては、各移動局１００ｎで共有して使用される下り共有物理チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネルとが用いられる。上記ＬＴＥ用の下り制御チャネルは、物理下りリンク制御チャネルPhysical Downlink Control Channel (PDCCH)、あるいは、Ｄｏｗｎｌｉｎｋ  Ｌ１／Ｌ２  Ｃｏｎｔｒｏｌ  Ｃｈａｎｎｅｌ  （ＤＬ  Ｌ１／Ｌ２  Ｃｏｎｔｒｏｌ  Ｃｈａｎｎｅｌ）と呼ばれる。PDCCHの情報（以下、「PDCCHの情報」と呼ぶ）は、Ｐｈｙｓｉｃａｌ
Ｃｏｎｔｒｏｌ Ｆｏｒｍａｔ
Ｉｎｄｉｃａｔｏｒ Ｃｈａｎｎｅｌ (ＰＣＦＩＣＨ)、Ｄｏｗｎｌｉｎｋ  Ｓｃｈｅｄｕｌｉｎｇ  Ｉｎｆｏｒｍａｔｉｏｎ、ＡＣＫ／ＮＡＣＫ、ＵＬ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ等である。また、上記Ｄｏｗｎｌｉｎｋ  Ｓｃｈｅｄｕｌｉｎｇ  Ｉｎｆｏｒｍａｔｉｏｎには、例えば、下りリンクのＲｅｓｏｕｒｃｅ  Ｂｌｏｃｋの割り当て情報、ＵＥのＩＤ、ストリームの数、Ｐｒｅｃｏｄｉｎｇ  Ｖｅｃｔｏｒに関する情報、データサイズ、変調方式、ＨＡＲＱに関する情報等が含まれ、上記Ｕｐｌｉｎｋ  Ｓｃｈｅｄｕｌｉｎｇ  Ｇｒａｎｔには、例えば、上りリンクのＲｅｓｏｕｒｃｅ  Ｂｌｏｃｋの割り当て情報、ＵＥのＩＤ、データサイズ、変調方式、上りリンクの送信電力情報、Ｄｅｍｏｄｕｌａｔｉｏｎ  Ｒｅｆｅｒｅｎｃｅ  Ｓｉｇｎａｌの情報等が含まれる。【００２９】
上りリンクについては、各移動局１００ｎで共有して使用される上り共有物理チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。尚、上り制御チャネルには、上り共有物理チャネルと時間多重されるチャネルと、周波数多重されるチャネルの２種類がある。【００３０】
上りリンクでは、ＬＴＥ用の上り制御チャネルにより、下りリンクにおける共有物理チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの共有物理チャネルの送達確認情報（ＨＡＲＱ  ＡＣＫ  ｉｎｆｏｒｍａｔｉｏｎ）が伝送される。また、上り共有物理チャネルによりユーザデータが伝送される。【００３１】
下りリンク伝送では、図２に示すように、１Ｓｕｂ−ｆｒａｍｅは１ｍｓであり、１Ｓｕｂ−ｆｒａｍｅの中に１４個のＯＦＤＭシンボルが存在する。１Ｓｕｂ−ｆｒａｍｅの先頭からいくつかのＯＦＤＭシンボルには、上記ＰＤＣＣＨがマッピングされる。ＰＤＣＣＨがマッピングされるＯＦＤＭシンボルの最大数は３である。すなわち、ＰＤＣＣＨは、ＯＦＤＭシンボル＃１にマッピングされる、ＯＦＤＭシンボル＃１と＃２にマッピングされる、ＯＦＤＭシンボル＃１と＃２と＃３にマッピングされる、の３通りでマッピングされる。図２においては、１Ｓｕｂ−ｆｒａｍｅの先頭の２個のＯＦＤＭシンボル、すなわち、ＯＦＤＭシンボル＃１及び＃２に上記ＰＤＣＣＨがマッピングされている。そして、上記ＰＤＣＣＨがマッピングされるＯＦＤＭシンボル以外のＯＦＤＭシンボルにおいて、データ信号やＳＣＨ、ＢＣＨ等が送信される。また、周波数方向においては、Ｍ個のＲｅｓｏｕｒｃｅ  Ｂｌｏｃｋが定義される。ここで、１Ｒｅｓｏｕｒｃｅ  Ｂｌｏｃｋあたりの周波数帯域は１８０ｋＨｚであり、１つのＲｅｓｏｕｒｃｅ  Ｂｌｏｃｋの中に１２個のサブキャリアが存在する。また、Ｒｅｓｏｕｒｃｅ  Ｂｌｏｃｋの数Ｍは、システム帯域幅が５ＭＨｚの場合には２５であり、システム帯域幅が１０ＭＨｚの場合には５０であり、システム帯域幅が２０ＭＨｚの場合には１００である。【００３２】
図３に、図２に示すＳｕｂ−ｆｒａｍｅの構成を持つ場合の、ＯＦＤＭシンボル＃１及び＃２におけるサブキャリアマッピングを示す。尚、同図において、１ＯＦＤＭシンボルのサブキャリアの数をＬとし、周波数の小さい方から、サブキャリア＃１、＃２、…、＃Ｌと番号付けを行っている。システム帯域幅が５ＭＨｚの場合には、Ｌ＝３００であり、システム帯域幅が１０ＭＨｚの場合には、Ｌ＝６００であり、システム帯域幅が２０ＭＨｚの場合には、Ｌ＝１２００である。同図に示すように、ＯＦＤＭシンボル＃１のサブキャリアには、Ｄｏｗｎｌｉｎｋ  Ｒｅｆｅｒｅｎｃｅ  Ｓｉｇｎａｌ（ＤＬ  ＲＳ）とＰＤＣＣＨがマッピングされる。ＤＬ  ＲＳは、６個のサブキャリアに１個の割合で送信される。図においては、サブキャリア＃６×ｄ−５（但し、ｄ：１、２、…）にＤＬ  ＲＳがマッピングされている。ＰＤＣＣＨがマッピングされるＯＦＤＭシンボルの数が３の場合のＯＦＤＭシンボル＃３の構成は、図３におけるＯＦＤＭシンボル＃２の構成と基本的に同じである。【００３３】
次に、本発明の実施例に係る基地局装置２００について、図４を参照して説明する。【００３４】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。【００３５】
下りリンクにより基地局装置２００から移動局１００ｎに送信されるパケットデータは、基地局装置２００の上位に位置する上位局、例えばアクセスゲートウェイ装置３００から伝送路インターフェース２１２を介してベースバンド信号処理部２０８に入力される。【００３６】
ベースバンド信号処理部２０８では、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、ベースバンド信号処理部２０８では、後述するように、Ｓｕｂ−ｆｒａｍｅ毎に、ＰＤＣＣＨがマッピングされるＯＦＤＭシンボル数の決定や、ＰＤＣＣＨの情報のサブキャリアへのマッピング、ＰＤＣＣＨの情報に関する送信電力制御、が行われる。【００３７】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００３８】
一方、上りリンクにより移動局１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００３９】
ベースバンド信号処理部２０８では、入力されたベースバンド信号に対して、ＦＦＴ処理、ＩＤＦＴ処理、誤り訂正復号、ＭＡＣ再送制御等の受信処理、ＲＬＣ  ｌａｙｅｒの受信処理がなされ、伝送路インターフェース２１２を介してアクセスゲートウェイ装置３００に転送される。【００４０】
呼処理部２１０は、無線基地局２００の状態管理やリソース割り当てを行う。【００４１】
次に、ベースバンド信号処理部２０８の構成について、図５を参照して説明する。【００４２】
ベースバンド信号処理部２０８は、レイヤー１処理部２０８１と、ＭＡＣ（Ｍｅｄｉｕｍ  Ａｃｃｅｓｓ  Ｃｏｎｔｒｏｌ）処理部２０８２と、ＲＬＣ処理部２０８３と、サブキャリアマッピング決定部２０８４とＰＤＣＣＨ送信電力制御部２０８５を備える。【００４３】
ベースバンド信号処理部２０８におけるレイヤー１処理部２０８１とＭＡＣ処理部２０８２とＲＬＣ処理部２０８３とサブキャリアマッピング決定部２０８４とＰＤＣＣＨ送信電力制御部２０８５と呼処理部２１０とは、互いに接続されている。【００４４】
レイヤー１処理部２０８１では、下りリングで送信されるデータのチャネル符号化やＩＦＦＴ処理、上りリンクで送信されるデータのチャネル復号化やＦＦＴ処理、ＩＤＦＴ処理などが行われる。レイヤー処理部２０８１は、サブキャリアマッピング決定部２０８４から通知されたサブキャリア情報に基づいて、ＰＤＣＣＨの情報をサブキャリアにマッピングする。ＤＬ  ＲＳが送信されるＯＦＤＭシンボルにおいては、ＤＬ  ＲＳを所定のサブキャリアにマッピングする。また、レイヤー１処理部２０８１は、ＰＤＣＣＨ送信電力制御部２０８５から通知された送信電力情報に基づいて、ＰＤＣＣＨの情報がマッピングされるサブキャリアの送信電力を設定する。さらに、レイヤー１処理部２０８１は、ＤＬ  ＲＳがマッピングされるサブキャリアの送信電力を設定する。ここで、上記ＤＬ  ＲＳがマッピングされるサブキャリアの送信電力は、例えば、上位ノードからシグナリングされることにより設定されてもよいし、あるいは、基地局装置２００の装置内のパラメータとして保持された値を参照することにより設定されてもよい。【００４５】
ＭＡＣ処理部２０８２は、下りデータのＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理や、スケジューリング、伝送フォーマットの選択、周波数リソースの割り当て等を行う。ここで、スケジューリングとは、当該Ｓｕｂ−ｆｒａｍｅにおいて共有チャネルを用いてデータ信号の送信を行う移動局を選別する処理のことを指し、例えば、そのアルゴリズムとして、ラウンドロビンやプロポーショナルフェアネスが存在する。また、伝送フォーマットの選択とは、スケジューリングにおいて選別された移動局に送信するデータ信号に関する変調方式や符号化率、データサイズを決定することを指す。上記変調方式、符号化率、データサイズの決定は、例えば、移動局から上りリンクにおいて報告されるＣＱＩに基づいて行われる。さらに、上記周波数リソースの割り当てとは、スケジューリングにおいて選別された移動局に送信するデータ信号の送信に用いられるＲｅｓｏｕｒｃｅ  Ｂｌｏｃｋを決定する処理のことを指す。上記Ｒｅｓｏｕｒｃｅ  Ｂｌｏｃｋの決定は、例えば、移動局から上りリンクにおいて報告されるＣＱＩに基づいて行われる。【００４６】
また、ＭＡＣ処理部２０８２は、上りデータのＭＡＣ再送制御の受信処理やスケジューリング、伝送フォーマットの選択、周波数リソースの割り当て等を行う。【００４７】
ＲＬＣ処理部２０８３では、下りリンクのパケットデータに関する、分割・結合、ＲＬＣ再送制御の送信処理等のＲＬＣ  ｌａｙｅｒの送信処理や、上りリンクのデータに関する、分割・結合、ＲＬＣ再送制御の受信処理等のＲＬＣ  ｌａｙｅｒの受信処理が行われる。【００４８】
サブキャリアマッピング決定部２０８４は、Ｓｕｂ−ｆｒａｍｅ毎に、ＰＤＣＣＨがマッピングされるＯＦＤＭシンボル数の決定や、ＰＤＣＣＨの情報がマッピングされるサブキャリアの決定を行い、決定したＰＤＣＣＨの情報がマッピングされるサブキャリアを、サブキャリア情報として、レイヤー１処理部２０８１に通知する。また、サブキャリアマッピング決定部２０８４は、上記ＰＤＣＣＨがマッピングされるＯＦＤＭシンボル数も、レイヤー１処理部２０８１に通知する。
例えば、サブキャリアマッピング決定部２０８４は、ＰＤＣＣＨがマッピングされるＯＦＤＭシンボルの数を、当該Ｓｕｂ−ｆｒａｍｅにおいてＰＤＣＣＨにより伝送されるＤｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔの数に基づいて決定する。【００４９】
そして、サブキャリアマッピング決定部２０８４は、上記ＰＤＣＣＨがマッピングされるＯＦＤＭシンボルの数に基づいて、ＰＤＣＣＨの情報がマッピングされるサブキャリアの決定を行う。【００５０】
例えば、サブキャリアマッピング決定部２０８４は、上記ＰＤＣＣＨがマッピングされるＯＦＤＭシンボルの数が１である場合に、図６に示すように、ＯＦＤＭシンボル＃１における、ＤＬ  ＲＳがマッピングされるサブキャリア以外の全てのサブキャリアに、ＰＤＣＣＨの情報をマッピングしてもよい。一方、サブキャリアマッピング決定部２０８４は、上記ＰＤＣＣＨがマッピングされるＯＦＤＭシンボルの数が２である場合に、図７に示すように、ＯＦＤＭシンボル＃１において、ＰＤＣＣＨの情報のマッピングを行わないサブキャリアを設定してもよい。この時、ＰＤＣＣＨの情報のマッピングを行わないサブキャリアは送信をオフされる（送信されない）ことになる、すなわち、どのような信号も送信されないことになる。そして、ＯＦＤＭシンボル＃１において、上記送信をオフされる（送信されない）サブキャリアとＤＬ  ＲＳが送信されるサブキャリア以外のサブキャリアにおいて、ＰＤＣＣＨの情報がマッピングされる。尚、ＯＦＤＭシンボル＃２においては、全てのサブキャリアにＰＤＣＣＨの情報をマッピングする。【００５１】
上述した例において、結果的に、ＰＤＣＣＨがマッピングされるＯＦＤＭシンボルの数が１である場合の、ＯＦＤＭシンボル＃１においてＰＤＣＣＨの情報がマッピングされるサブキャリアの数は、ＰＤＣＣＨがマッピングされるＯＦＤＭシンボルの数が２である場合の、ＯＦＤＭシンボル＃１においてＰＤＣＣＨの情報がマッピングされるサブキャリアの数よりも大きくなる。【００５２】
ＰＤＣＣＨがマッピングされるＯＦＤＭシンボルの数が１である場合と、ＰＤＣＣＨがマッピングされるＯＦＤＭシンボルの数が２である場合との比較を行ったが、ＰＤＣＣＨがマッピングされるＯＦＤＭシンボルの数が１である場合と、ＰＤＣＣＨがマッピングされるＯＦＤＭシンボルの数が３である場合との比較においても同様である。【００５３】
以下に、さらに具体的に説明する。基地局の最大送信電力を２０Ｗとし、１ＯＦＤＭシンボル内の全サブキャリア数を３００とする。この時、各サブキャリアの送信電力が等しいとすると、１サブキャリアあたりの送信電力Psubcarrierは、
Psubcarrier=20/300=0.066666  （W）
となる。ここで、ＤＬ  ＲＳの１サブキャリアあたりの送信電力PDLRSを、
PDLRS=2×0.066666=0.133333  （W）
とした場合、上述したＯＦＤＭシンボル＃１において送信をオフされる（送信されない）サブキャリアの数を５０個とすると、ＯＦＤＭシンボル＃１においてＰＤＣＣＨがマッピングされるサブキャリアの数は、３００−５０−５０＝２００である。上記の計算は、全サブキャリアの数から、ＤＬ  ＲＳのサブキャリアの数と送信をオフされる（送信されない）サブキャリアの数を引くことを意味する。この時、ＯＦＤＭシンボル＃１においてＰＤＣＣＨがマッピングされる各サブキャリアの送信電力が等しいとすると、ＯＦＤＭシンボル＃１における１サブキャリアあたりの送信電力Psubcarrier(1)は、
Psubcarrier(1)=(20-0.133333×50)/200=0.066666
となる。【００５４】
一方、ＯＦＤＭシンボル＃２においては、全てのサブキャリアにＰＤＣＣＨがマッピングされるため、ＯＦＤＭシンボル＃２においてＰＤＣＣＨがマッピングされる各サブキャリアの送信電力が等しいとすると、ＯＦＤＭシンボル＃２における１サブキャリアあたりの送信電力Psubcarrier(2)は、
Psubcarrier(2)=
Psubcarrier=20/300=0.066666
となる。すなわち、ＰＤＣＣＨがマッピングされるＯＦＤＭシンボルの数が２の場合に、ＯＦＤＭシンボル＃１におけるＰＤＣＣＨの情報の送信電力と、ＯＦＤＭシンボル＃２におけるＰＤＣＣＨの情報の送信電力とを同程度にすることが可能となる。すなわち、ＰＤＣＣＨがマッピングされるＯＦＤＭシンボルの数が２以上の場合には、ＤＬ  ＲＳが送信されるＯＦＤＭシンボル、すなわち、ＯＦＤＭシンボル＃１におけるＰＤＣＣＨがマッピングされるサブキャリアの数を減らすことにより、効率の良い送信電力の設定が可能となる。【００５５】
ここで、例えば、サブキャリアマッピング決定部２０８４は、PDCCHがマッピングされるＯＦＤＭシンボルの数と、ＤＬ  ＲＳの送信電力の大きさとに基づいて、上記サブキャリアマッピングを行ってもよい。【００５６】
すなわち、ＤＬ  ＲＳの１サブキャリアあたりの送信電力PDLRSが、
PDLRS=0.066666    (W)
である場合には、PDCCHの情報がマッピングされるＯＦＤＭシンボルの数に関係なく、ＤＬ  ＲＳが送信されない全てのサブキャリアを用いて、PDCCHの情報が送信される。【００５７】
一方、ＤＬ  ＲＳの１サブキャリアあたりの送信電力PDLRSが、
PDLRS=0.133333    (W)
であり、かつ、PDCCHの情報がマッピングされるＯＦＤＭシンボルの数が１の場合には、ＯＦＤＭシンボル＃１におけるPDCCHの情報がマッピングされるサブキャリアの数を２５０とする。これは、１ＯＦＤＭシンボル内の全サブキャリア数３００から、ＤＬ  ＲＳがマッピングされるサブキャリア数５０を引いた値である。そして、ＤＬ  ＲＳの１サブキャリアあたりの送信電力PDLRSが、
PDLRS=0.133333    (W)
であり、かつ、PDCCHの情報がマッピングされるＯＦＤＭシンボルの数が２の場合には、ＯＦＤＭシンボル＃１におけるPDCCHの情報がマッピングされるサブキャリアの数を２００とする。これは、１ＯＦＤＭシンボル内の全サブキャリア数３００から、ＤＬ  ＲＳがマッピングされるサブキャリア数５０と、送信をオフされる（送信されない）サブキャリア数５０を引いた値である。【００５８】
さらに、ＤＬ  ＲＳの１サブキャリアあたりの送信電力PDLRSが、
PDLRS=0.266666    (W)
であり、かつ、PDCCHの情報がマッピングされるＯＦＤＭシンボルの数が１の場合には、ＯＦＤＭシンボル＃１におけるPDCCHの情報がマッピングされるサブキャリアの数を２５０とする。これは、１ＯＦＤＭシンボル内の全サブキャリア数３００から、ＤＬ  ＲＳがマッピングされるサブキャリア数５０を引いた値である。そして、ＤＬ  ＲＳの１サブキャリアあたりの送信電力PDLRSが、
PDLRS=0.266666    (W)
であり、かつ、PDCCHの情報がマッピングされるＯＦＤＭシンボルの数が２の場合には、ＯＦＤＭシンボル＃１におけるPDCCHの情報がマッピングされるサブキャリアの数を１５０とする。これは、１ＯＦＤＭシンボル内の全サブキャリア数３００から、ＤＬ  ＲＳがマッピングされるサブキャリア数５０と、送信をオフされる（送信されない）サブキャリア数１００を引いた値である。【００５９】
すなわち、上述した例においては、PDCCHがマッピングされるＯＦＤＭシンボルの数と、ＤＬ  ＲＳの送信電力の大きさとに基づいて、ＤＬ  ＲＳがマッピングされるＯＦＤＭシンボルにおけるPDCCHのサブキャリアの数が決定される。より具体的には、PDCCHがマッピングされるOFDMシンボルの数が１の場合には、異なるOFDMシンボルの間で、PDCCHに割り当てられる送信電力のバランスを取る必要がないため、DL RSの送信電力の大きさに関係なく、PDCCHのサブキャリア数を定義し、PDCCHがマッピングされるOFDMシンボルの数が２の場合には、異なるOFDMシンボルの間で、PDCCHに割り当てられる送信電力のバランスを取るために、DL RSの送信電力が大きい場合には、PDCCHのサブキャリア数を小さく設定する。【００６０】
上述した例においては、PDCCHがマッピングされるＯＦＤＭシンボルの数が１である場合と、PDCCHがマッピングされるＯＦＤＭシンボルの数が２である場合とで、PDCCHの情報がマッピングされるサブキャリアの数およびサブキャリアのマッピングを変更する例を提示したが、PDCCHがマッピングされるＯＦＤＭシンボルの数が１である場合と、PDCCHがマッピングされるＯＦＤＭシンボルの数が３である場合とでも同様に、PDCCHの情報がマッピングされるサブキャリアの数およびサブキャリアのマッピングを変更することができる。【００６１】
さらに、上述した例においては、ＤＬ  ＲＳの送信電力を考慮して、サブキャリアマッピングが行われたが、さらに、PCFICHの送信電力が考慮されてもよい。【００６２】
上述した例において、PDCCHの情報として、例えば、Ｄｏｗｎｌｉｎｋ  Ｓｃｈｅｄｕｌｉｎｇ  Information、ＡＣＫ／ＮＡＣＫ、ＵＬ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ等が考えられる。【００６３】
以下には、特に、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの数およびマッピングのパターンが、PDCCHがマッピングされるＯＦＤＭシンボルに基づいて決定されることを示す。【００６４】
前提条件として、システム帯域幅を５ＭＨｚとする。このとき、１ＯＦＤＭシンボルにおけるサブキャリアの数Ｌは３００であり、また、ＯＦＤＭシンボル＃１にのみ、５０個のＤＬ  ＲＳが送信される。ＤＬ  ＲＳのサブキャリアへのマッピングは、図３に示すマッピングと同様とする。さらに、PCFICHがマッピングされるサブキャリアを４とし、ＯＦＤＭシンボル＃１にのみマッピングされることとする。ＡＣＫ／ＮＡＣＫ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄは、PDCCHがマッピングされる全てのＯＦＤＭシンボルにおいて送信されることとし、マッピングされるサブキャリア番号は、全てのＯＦＤＭ信号において同一とする。例えば、ＡＣＫ／ＮＡＣＫ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄがマッピングされるサブキャリアの数を、それぞれ、８、４、８とする。尚、上述したPCFICH、ＡＣＫ／ＮＡＣＫ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄは、周波数ダイバーシチ効果を得るため、周波数方向に分散するようにマッピングされる。図８に、この場合の、PCFICH、ＡＣＫ／ＮＡＣＫ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄがマッピングされるサブキャリア番号の例を示す。また、図８においては、図３に示すＤＬ  ＲＳがマッピングされるサブキャリア番号も例として示す。【００６５】
このとき、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔは、図８において示されていないサブキャリアにマッピングされる。ここで、例えば、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの数は、図９に示すように、PDCCHがマッピングされるＯＦＤＭシンボルの数に応じて設定されてもよい。すなわち、ＤＬ  ＲＳがマッピングされるＯＦＤＭシンボル＃１における、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔのサブキャリアの数を、PDCCHがマッピングされるOFDMシンボルの数が１の場合に大きくし、PDCCHがマッピングされるOFDMシンボルの数が2または3の場合に小さくする。このとき、ＤＬ  ＲＳがマッピングされるＯＦＤＭシンボル＃１における、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔのサブキャリアの数を、PDCCHがマッピングされるOFDMシンボルの数が２または3の場合に小さくした場合、ＯＦＤＭシンボル＃１において、送信をオフされる（送信されない）サブキャリア数が大きくなる。【００６６】
尚、Downlink Scheduling Information及びUplink Scheduling Grantは、リソースエレメントグループと呼ばれる、複数のリソースエレメントから成るリソースグループにより構成されていてもよい。例えば、１リソースエレメントグループは４個のリソースエレメントから構成され、1個のDownlink
Scheduling Informationが、5個のリソースエレメントグループから構成されるといった場合がある。尚、リソースエレメントとは、１OFDMシンボルにおける１サブキャリアを示す。また、リソースエレメントグループは、ミニ制御チャネルエレメントと呼ばれてもよい。よって、上述した例においては、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの数が、PDCCHがマッピングされるＯＦＤＭシンボルの数に応じて設定されたが、代わりに、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるリソースエレメントグループの数が、PDCCHがマッピングされるOFDMシンボルの数に応じて設定されてもよい。【００６７】
さらに例えば、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの数は、図１０に示すように、PDCCHがマッピングされるＯＦＤＭシンボルの数とＤＬ  ＲＳの送信電力とに応じて設定されてもよい。すなわち、PDCCHがマッピングされるＯＦＤＭシンボルの数が１の場合には、ＤＬ  ＲＳの送信電力に関係なく、ＯＦＤＭシンボル＃１にマッピングされる、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔのサブキャリアの数は一定であるが、PDCCHがマッピングされるＯＦＤＭシンボルの数が２または3の場合には、ＤＬ  ＲＳの送信電力が大きい場合に、ＯＦＤＭシンボル＃１にマッピングされる、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔのサブキャリアの数は小さく設定する。ここで、ＯＦＤＭシンボル＃１は、ＤＬ  ＲＳがマッピングされるＯＦＤＭシンボルのことである。ＤＬ  ＲＳがマッピングされるＯＦＤＭシンボル＃１における、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔのサブキャリアの数を、PDCCHがマッピングされるOFDMシンボルの数が２または３で、かつ、ＤＬ  ＲＳの送信電力が大きい場合に、小さくした場合、ＯＦＤＭシンボル＃１において、送信をオフされる（送信されない）サブキャリア数が大きくなる。【００６８】
上述した例においては、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの数が、PDCCHがマッピングされるＯＦＤＭシンボルの数とDL RSの送信電力に応じて設定されたが、代わりに、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるリソースエレメントグループの数が、PDCCHがマッピングされるOFDMシンボルの数とDL RSの送信電力に応じて設定されてもよい。【００６９】
尚、上述したＤｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアにおいて、複数のＤｏｗｎｌｉｎｋ  Ｓｃｈｅｄｕｌｉｎｇ  Ｇｒａｎｔ及び複数のＵｐｌｉｎｋ  Ｓｃｈｅｄｕｌｉｎｇ  Ｇｒａｎｔは、例えば、コード多重されてもよいし、周波数多重されてもよいし、あるいは、コード多重と周波数多重をハイブリッドした方法で多重されてもよい。  また、上述した例において、PCFICH、ＡＣＫ／ＮＡＣＫ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔ等のPDCCHの情報は、それぞれ個別に送信電力が設定されてもよい、すなわち、それぞれ個別に送信電力制御が適用されてもよい。尚、上記送信電力制御は、後述するPDCCH送信電力制御部２０８５で行われる。この時、図９、図１０に示すように、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの数を、PDCCHがマッピングされるＯＦＤＭシンボルの数に基づいて、あるいは、PDCCHがマッピングされるＯＦＤＭシンボルの数と、ＤＬ  ＲＳの送信電力とに基づいて、決定することにより、各ＯＦＤＭシンボルにおけるＤｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの送信電力を出来る限り同じになるようにすることができる。【００７０】
PDCCH送信電力制御部２０８５は、PDCCHの情報の送信電力を決定し、上記PDCCHの情報の送信電力を、送信電力情報として、レイヤー１処理部２０８１に通知する。ここで、例えば、上記PDCCHの情報の送信電力は固定電力としてもよいし、ＣＱＩに基づいてSub-frame毎に設定される電力としてもよい。また、上記PDCCHの情報の送信電力の設定は、PDCCHの情報毎に行われる。【００７１】
次に、本発明の実施例に係る移動局１００ｎについて、図１１を参照して説明する。【００７２】
同図において、移動局１００ｎは、送受信アンテナ１０２と、アンプ部１０４と、送受信部１０６と、ベースバンド信号処理部１０８と、呼処理部１１０と、アプリケーション部１１２とを具備する。【００７３】
下りリンクのデータについては、送受信アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号、再送制御の受信処理等がなされた後、アプリケーション部１１２に転送される。【００７４】
一方、上りリンクのパケットデータについては、アプリケーション部１１２からベースバンド信号処理部１０８に入力される。ベースバンド信号処理部１０８では、再送制御（Ｈ−ＡＲＱ  （Ｈｙｂｒｉｄ  ＡＲＱ））の送信処理や、伝送フォーマット選択、チャネル符号化、DFT処理、ＩＦＦＴ処理等が行われて送受信部１０６に転送される。【００７５】
送受信部１０６では、ベースバンド信号処理部１０８から出力されたベースバンド信号を無線周波数帯に変換する周波数変換処理が施され、その後、アンプ部１０４で増幅されて送受信アンテナ１０２より送信される。【００７６】
また、ベースバンド信号処理部１０８において、PDCCHの復調・復号を行い、PDCCHの情報を取得する処理が行われる。ここで、PDCCHの情報がどのサブキャリアにマッピングされているかの情報は、移動局１００ｎは事前に取得しており、上記PDCCHの情報がどのサブキャリアにマッピングされているかの情報に基づいて、PDCCHの情報を取得する処理が行われる。そして、上記PDCCHの情報がどのサブキャリアにマッピングされているかの情報は、基地局装置２００が送信する、PDCCHの情報のサブキャリアマッピングと同一でなければならない。すなわち、上記PDCCHの情報がどのサブキャリアにマッピングされているかの情報は、PDCCHがマッピングされるＯＦＤＭシンボルの数に基づいて、あるいは、PDCCHがマッピングされるＯＦＤＭシンボルの数と、ＤＬ  ＲＳの送信電力とに基づいて、決定される。尚、PDCCHの情報がどのサブキャリアにマッピングされているかの情報に関する説明は、必然的に、基地局装置２００における説明と同一であるため、省略する。【００７７】
呼処理部１１０は、基地局２００との通信の管理等を行い、アプリケーション部１１２は、物理レイヤーやＭＡＣレイヤーより上位のレイヤーに関する処理等を行う。【００７８】
尚、上述したPDCCHがマッピングされるＯＦＤＭシンボルの数に基づいて、あるいは、PDCCHがマッピングされるＯＦＤＭシンボルの数と、ＤＬ  ＲＳの送信電力とに基づいて決定される、PDCCHの情報のサブキャリアマッピングに関する情報は、基地局装置２００と移動局１００ｎとで、一致していなければならず、システム共通のパラメータ、あるいは、固定値として定義されていることが望ましい。【００７９】
次に、本実施例に係る無線通信システム１０００における通信制御方法について、図１２を参照して説明する。【００８０】
PDCCHの情報がマッピングされるＯＦＤＭシンボルの数が1であるか否かを判定する（ステップＳ１２０２）。PDCCHの情報がマッピングされるＯＦＤＭシンボルの数が1でない場合（ステップＳ１２０２：ＮＯ）、ステップＳ１２０４に進み、PDCCHの情報がマッピングされるＯＦＤＭシンボルの数が1である場合（ステップＳ１２０２：ＹＥＳ）、ステップＳ１２０６に進む。【００８１】
PDCCHの情報がマッピングされるＯＦＤＭシンボルの数が1でない場合（ステップＳ１２０２：ＮＯ）、ＯＦＤＭシンボル＃１にマッピングされるPDCCHの情報のサブキャリア数を小さくする（ステップＳ１２０４）。ここで、ＯＦＤＭシンボル＃１には、ＤＬ  ＲＳもマッピングされる。【００８２】
PDCCHの情報がマッピングされるＯＦＤＭシンボルの数が1である場合（ステップＳ１２０２：ＹＥＳ）、ＯＦＤＭシンボル＃１にマッピングされるPDCCHの情報のサブキャリア数を大きくする（ステップＳ１２０６）。ここで、ＯＦＤＭシンボル＃１には、ＤＬ  ＲＳもマッピングされる。【００８３】
ここで、上述した例において、PDCCHの情報として、例えば、Ｄｏｗｎｌｉｎｋ  Ｓｃｈｅｄｕｌｉｎｇ  Information、ＡＣＫ／ＮＡＣＫ、ＵＬ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ等が考えられる。【００８４】
上述した例においては、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの数が、PDCCHがマッピングされるＯＦＤＭシンボルの数に応じて設定されたが、代わりに、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるリソースエレメントグループの数が、PDCCHがマッピングされるOFDMシンボルの数に応じて設定されてもよい。【００８５】
また、本実施例に係る無線通信システム１０００におけるもう１つの通信制御方法について、図１３を参照して説明する。【００８６】
PDCCHの情報がマッピングされるＯＦＤＭシンボルの数が1であるか否かを判定する（ステップＳ１３０２）。PDCCHの情報がマッピングされるＯＦＤＭシンボルの数が1でない場合（ステップＳ１３０２：ＮＯ）、ステップＳ１３０４に進み、PDCCHの情報がマッピングされるＯＦＤＭシンボルの数が1である場合（ステップＳ１３０２：ＹＥＳ）、ステップＳ１３０６に進む。【００８７】
PDCCHの情報がマッピングされるＯＦＤＭシンボルの数が1でない場合（ステップＳ１３０２：ＮＯ）、ＤＬ  ＲＳの送信電力が大きいか否かを判定する（ステップＳ１３０４）。ＤＬ  ＲＳの送信電力が大きくない場合（ステップＳ１３０４：ＮＯ）、ステップＳ１３０６に進み、ＤＬ  ＲＳの送信電力が大きい場合（ステップＳ１３０４：ＹＥＳ）、ステップＳ１３０８に進む。【００８８】
ステップＳ１３０６において、ＯＦＤＭシンボル＃１にマッピングされるPDCCHの情報のサブキャリア数を大きくする。ここで、ＯＦＤＭシンボル＃１には、ＤＬ  ＲＳもマッピングされる。【００８９】
ステップＳ１３０８において、ＯＦＤＭシンボル＃１にマッピングされるPDCCHの情報のサブキャリア数を小さくする。ここで、ＯＦＤＭシンボル＃１には、ＤＬ  ＲＳもマッピングされる。【００９０】
ここで、上述した例において、PDCCHの情報として、例えば、Ｄｏｗｎｌｉｎｋ  Ｓｃｈｅｄｕｌｉｎｇ  Information、ＡＣＫ／ＮＡＣＫ、ＵＬ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ等が考えられる。【００９１】
尚、上述した例においては、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるサブキャリアの数が、PDCCHがマッピングされるＯＦＤＭシンボルの数とDL RSの送信電力に応じて設定されたが、代わりに、Ｄｏｗｎｌｉｎｋ  Ｓｃｈｅｄｕｌｉｎｇ  InformationとＵｐｌｉｎｋ  Ｓｃｈｅｄｕｌｉｎｇ  Ｇｒａｎｔがマッピングされるリソースエレメントグループの数が、PDCCHがマッピングされるOFDMシンボルの数とDL RSの送信電力に応じて設定されてもよい。【００９２】
本発明の実施例によれば、PDCCHがマッピングされるＯＦＤＭシンボルの数に関係なく、適切なPDCCHの情報の送信電力を設定することのできる基地局装置、移動局、無線通信システム及び通信制御方法を実現できる。【００９３】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及び通信制御方法は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いる全てのシステムにおいて適用することが可能である。【００９４】
以上本発明は特定の実施例を参照しながら説明されてきたが、実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。【００９５】
本国際出願は２００７年１月１２日に出願した日本国特許出願第２００７−００５１９７号に基づく優先権を主張するものであり、その全内容を本国際出願に援用する。
【図１】
2008084624.tif 000003
【図２】
2008084624.tif 000004
【図３】
2008084624.tif 000005
【図４】
2008084624.tif 000006
【図５】
2008084624.tif 000007
【図６】
2008084624.tif 000008
【図７】
2008084624.tif 000009
【図８】
2008084624.tif 000010
【図９】
2008084624.tif 000011
【図１０】
2008084624.tif 000012
【図１１】
2008084624.tif 000013
【図１２】
2008084624.tif 000014
【図１３】
2008084624.tif 000015
【国際調査報告】
2008084624.tif 000016
2008084624.tif 000017
2008084624.tif 000018
2008084624.tif 000019